(57)【特許請求の範囲】
【請求項１】
抄紙機プレスロールなどのロールの表面に付着した紙粉などの異物を掻き落とすために用いるドクター装置において、
ロールの表面に先端が圧接されるドクターブレードと、このドクターブレードの元端部分を保持しているブレードホルダと、このブレードホルダを支持しているドクターバックと、少なくとも前記ドクターブレードの刃先近傍に空気、水などの流体を吹き付けるための吹き付け機構とを有しており、
前記吹き付け機構は、前記ドクターバックに形成され、当該ドクターバックの長手方向に延びるシャワーパイプ装着用の凹部と、この凹部に装着されたシャワーパイプと、このシャワーパイプを着脱可能な状態で前記ドクターバックに固定しているパイプ固定部材とを備えており、
前記シャワーパイプには、その長手方向に沿って、前記ドクターブレードの刃先近傍に向けて流体を吹き出す複数本の第１のシャワーノズルが取り付けられていることを特徴とするドクター装置。
【請求項２】
請求項１において、
前記シャワーパイプには、その長手方向に沿って、前記第１のシャワーノズルによる吹き出し方向とは異なる方向に向けて流体を吹き出す複数本の第２のシャワーノズルが取り付けられていることを特徴とするドクター装置。
【請求項３】
抄紙機ロールなどのロールの表面に沿って、当該ロールの回転方向に配列された少なくとも第１および第２のドクター装置を備えた多段式ドクター装置において、
前記第１のドクター装置は、前記ロールの表面に刃先が圧接される第１のドクターブレードと、この第１のドクターブレードを保持している第１のブレードホルダと、この第１のブレードホルダを支持している第１のドクターバックとを有しており、
前記第２のドクター装置は、前記第１のドクターブレードの刃先が圧接される前記ロールの表面部分より、当該ロールの回転方向の下流側の位置において、前記ロールの表面部分に刃先が圧接される第２のドクターブレードを備えており、
前記第１のドクター装置は、前記第１のドクターブレードの刃先近傍および前記第２のドクターブレードの刃先近傍に空気、水などの流体を吹き付けるための吹き付け機構を有しており、
前記吹き付け機構は、前記第１のドクターバックに形成され、当該ドクターバックの長手方向に延びるシャワーパイプ装着用の凹部と、この凹部に装着されたシャワーパイプと、このシャワーパイプを着脱可能な状態で前記第１のドクターバックに固定しているパイプ固定部材とを備えており、
前記シャワーパイプには、その長手方向に沿って、吹き出し方向が前記第１のドクターブレードの刃先部分に向いている第１のシャワーノズルと、吹き出し方向が前記第２のドクターブレードの刃先部分に向いている第２のシャワーノズルとが取り付けられていることを特徴とする多段式ドクター装置。
【請求項４】
請求項３において、
前記第２のドクター装置より前記ロールの回転方向の下流側の位置に配置された第３のドクター装置を有しており、
前記第１および第２のドクターブレードは前記ロールの全幅を包含する長さであり、
前記第３のドクター装置は、前記ロールの幅方向の両端部分にのみ配置されたドクターブレードを備えていることを特徴とする多段式ドクター装置。
【発明の詳細な説明】
【０００１】
【発明の属する技術分野】
本発明は、抄紙機プレスロールなどの回転しているロールの表面にドクターブレードの刃先を圧接させて、ロールの表面に付着している紙粉などの異物を掻き落とすドクター装置に関するものである。更に詳しくは、掻き落とされた後の異物をロールの表面およびドクターブレードの刃先部分から洗い流すなどの目的で刃先部分に空気や水などの流体を吹き付ける吹き付け機構を備えたドクター装置に関するものである。
【０００２】
【従来の技術】
抄紙機プレスロールなどのロールの表面に付着した異物を掻き落とすためのドクター装置としては、ロール幅に相当する長さの長方形のドクターブレードの刃先を回転するロールの表面に圧接する構成のものが知られている。この形式のドクター装置は、ドクターブレードの元端部分を保持しているブレードホルダと、このブレードホルダを支持しているドクターバックとを有しており、ドクターバックは、その両端に取り付けたジャーナルを介して、ロールに平行な回転軸線の回りに回転可能に支持されている。ドクターバックを回転させることにより、ドクターブレードを、その刃先がロールの表面に圧接した閉じ位置およびロールの表面から離れた開放位置に旋回させることができるようになっている。
【０００３】
また、ドクター装置は、ロールの表面から掻き落とされてドクターブレードの刃先部分に溜まった異物を当該刃先部分から洗い流すために、空気、または水あるいは薬液などの流体をドクターブレードの刃先部分に吹き付ける吹き付け機構が備わっている。吹き付け機構は、空気や液体が供給されるシャワーパイプと、このシャワーパイプの長手方向に沿って取り付けられた複数本のシャワーノズルとを備えており、流体供給源から供給される流体が可撓性チューブを介してシャワーパイプに供給され、しかる後に、各シャワーノズルからドクターブレードの刃先部分に吹き付けられる。
【０００４】
次に、ドクター装置としては、ロールの表面に沿ってその回転方向に向けて多段にドクター装置を配置した構成の多段式ドクター装置が知られている。多段式ドクター装置を用いれば、ロールの表面に付着している異物を効率良く、しかも確実に掻き落とすことができるという利点がある。この場合においても、各段のドクター装置のドクターブレードの刃先部分に溜まった異物を洗い流すために、各段毎に吹き付け機構が配置されている。
【０００５】
【発明が解決しようとする課題】
ここで、抄紙機プレスパートなどにおいては多数本のロールが配列されており、それぞれのロールにドクター装置が取り付けられて異物の掻き落としが行われる。従って、ドクター装置の配置位置を確保することが困難な場合もある。このような場合、吹き付け機構を構成しているシャワーパイプなどの配置スペースを確保できないことが多い。特に、多段式ドクター装置の場合には各ドクター装置毎にシャワーパイプ等を配置する必要があるので、吹き付け機構を構成している各部品の配置スペースの確保が極めて困難な場合がある。
【０００６】
本発明の課題はかかる点に鑑みてなされたものであり、設置スペースが少なく済む吹き付け機構を備えたドクター装置を提案することにある。
【０００７】
また、本発明の課題は、メンテナンスや交換作業が容易な吹き付け機構を備えたドクター装置を提案することにある。
【０００８】
さらに、本発明の課題は、設置スペースが少なく、しかもメンテナンスなどの作業が容易な吹き付け機構を備えた多段式ドクター装置を提案することにある。
【０００９】
【課題を解決するための手段】
上記の課題を解決するために、本発明は、抄紙機プレスロールなどのロールの表面に付着した紙粉などの異物を掻き落とすために用いるドクター装置において、ロールの表面に先端が圧接されるドクターブレードと、このドクターブレードの元端部分を保持しているブレードホルダと、このブレードホルダを支持しているドクターバックと、少なくとも前記ドクターブレードの刃先近傍に空気、水などの流体を吹き付けるための吹き付け機構とを有しており、前記吹き付け機構は、前記ドクターバックに形成され、当該ドクターバックの長手方向に延びるシャワーパイプ装着用の凹部と、この凹部に装着されたシャワーパイプと、このシャワーパイプを着脱可能な状態で前記ドクターバックに固定しているパイプ固定部材とを備えており、前記シャワーパイプには、その長手方向に沿って、前記ドクターブレードの刃先近傍に向けて流体を吹き出す複数本の第１のシャワーノズルが取り付けられていることを特徴としている。
【００１０】
本発明において、シャワーパイプが完全に納まるに足る大きさの前記凹部を形成しておけば、ドクターバックの設置スペース内でシャワーパイプを配置することができる。また、シャワーパイプは着脱可能な状態でパイプ固定部材によって凹部に固定されているので、そのメンテナンス時や交換時の取り外し、取り付け作業が簡単である。
【００１１】
ここで、前記シャワーパイプには、その長手方向に沿って、前記第１のシャワーノズルによる液体吹き出し方向とは異なる方向に向けて液体を吹き出す複数本の第２のシャワーノズルが取り付けられている構成とすることもできる。この構成を採用すれば、ドクターブレードの刃先部分以外の部分、例えば、ドクターブレードにより異物が掻き落とされる前のロール表面部分や掻き落としが行われた後のロール表面部分に対して薬液などを散布することができる。よって、複数本のシャワーパイプを配置する必要がない。
【００１２】
次に、本発明は、抄紙機ロールなどのロールの表面に沿って、当該ロールの回転方向に配置された少なくとも第１および第２のドクター装置を備えた多段式ドクター装置において、前記第１のドクター装置は、前記ロールの表面に刃先が圧接される第１のドクターブレードと、この第１のドクターブレードを保持している第１のブレードホルダと、この第１のブレードホルダを支持している第１のドクターバックとを有しており、前記第２のドクター装置は、前記第１のドクターブレードの刃先が圧接される前記ロールの表面部分より、当該ロールの回転方向の下流側の位置において、前記ロールの表面部分に刃先が圧接される第２のドクターブレードを備えており、前記第１のドクター装置は、前記第１のドクターブレードの刃先部分および前記第２のドクターブレードの刃先部分に空気、水などの流体を吹き付けるための吹き付け機構を有しており、前記吹き付け機構は、前記第１のドクターバックに形成され、当該ドクターバックの長手方向に延びるシャワーパイプ装着用の凹部と、この凹部に装着されたシャワーパイプと、このシャワーパイプを着脱可能な状態で前記第１のドクターバックに固定しているパイプ固定部材とを備えており、前記シャワーパイプには、その長手方向に沿って、吹き出し方向が前記第１のドクターブレードの刃先部分に向いている第１のシャワーノズルと、吹き出し方向が前記第２のドクターブレードの刃先部分に向いている第２のシャワーノズルとが取り付けられていることを特徴としている。
【００１３】
本発明では、シャワーパイプがドクターバックに形成した凹部に装着されているので、ドクターバックの設置スペース内においてシャワーパイプを設置することができる。また、シャワーパイプはパイプ固定部材によって着脱可能な状態で取り付けられているので、メンテナンス作業や交換作業が簡単である。これに加えて、１本のシャワーパイプを用いて、２枚のドクターブレードの刃先部分に空気、液体などを吹き付けることができるので、複数本のシャワーパイプを取り付ける場合に比べて、設置スペースが少なくて済み、メンテナンス作業、交換作業なども極めて簡単になる。
【００１４】
ここで、前記第２のドクター装置より前記ロールの回転方向の下流側の位置に配置された第３のドクター装置を有し、前記第１および第２のドクターブレードが前記ロールの全幅を包含する長さであり、前記第３のドクター装置のドクターブレードは前記ロールの幅方向の両端部分にのみ配置された構成とすることができる。この構成とすれば、ロールクラウンの場合の所謂、かす回りを防止できる。
【００１５】
【発明の実施の形態】
以下に、図面を参照して、本発明を適用した多段式ドクター装置の実施例を説明する。
【００１６】
図１は本例の多段式ドクター装置を示す側面構成図である。この図を参照して説明すると、本例の多段式ドクター装置１は、抄紙機プレスパートにおける抄紙機ロール２の表面をドクターリングするためのものであり、ロール２の表面に沿って、その回転方向（矢印Ａで示す方向）に向けて、第１のドクター装置１０、第２のドクター装置２０および第３のドクター装置３０がこの順序で配列されている。
【００１７】
これらのドクター装置１０、２０、３０の基本的な構成は同一であり、第１のドクター装置１０は、ロール２の表面２ａに刃先１１ａが圧接されるドクターブレード１１と、このドクターブレード１１の元端側の部分を保持しているブレードホルダ１２と、このブレードホルダ１２を支持しているドクターバック１３を備えている。同様に、第２のドクター装置２０は刃先２１ａが形成されたドクターブレード２１と、このドクターブレード２１の元端側の部分を保持しているブレードホルダ２２と、このブレードホルダ２２を支持しているドクターバック２３を備えており、第３のドクター装置３０も、刃先３１ａが形成されたドクターブレード３１と、このドクターブレード３１の元端側の部分を保持しているブレードホルダ３２と、このブレードホルダ３２を支持しているドクターバック３３とを備えている。
【００１８】
各ドクター装置１０、２０、３０のドクターブレード１１、２１、３１はロール２の回転軸線と平行に配置され、ロール表面２ａの全幅に亘る長さとされている。しかるに、図２に示すように、第３のドクター装置３０のドクターブレード３１を、ドクターブレード１１、２１の両端より外側のロール表面２ａの両端部分にのみ配置した構成とすることもできる。このようにすれば、図に示すようにロールクラウンの場合のかす回りを防止できる。
【００１９】
また、各ドクター装置１０、２０、３０のドクターバック１３、２３、３３の両端にはそれぞれジャーナル軸１４、２４、３４が取り付けられており、これらのジャーナル軸１４、２４、３４は、固定側の架台４０に取り付けた各ジャーナル軸受１５、２５、３５によって、ロール回転軸線と平行な回転軸線を中心として回転可能な状態で支持されている。かかる構造による各ドクターバック１３、２３、３３の回転は、流体圧シリンダ１６、２６およびターンバックル３６によって拘束されている。これら流体圧シリンダ１６、２６およびターンバックル３６を調整することにより、各ドクター装置１０、２０、３０のドクターブレード１１、２１、３１の刃先をロール表面２ａに圧接した閉じ位置およびロール表面２ａから離れた開き位置に移動することができる。
【００２０】
次に、本例の多段式ドクター装置１は、ドクターブレード１１の刃先部分およびドクターブレード２１の刃先部分に溜まった異物を洗い流すための液体吹き付け機構を備えている。図３、図４を参照して説明すると、本例の液体吹き付け機構５０は、第１のドクター装置１０に取り付けられた１本のシャワーパイプ５１と、このシャワーパイプ５１を装着するために第１のドクター装置１０のドクターバック１３に形成した凹部５２と、この凹部５２に装着されたシャワーパイプ５１を当該ドクターバック１３に固定するための複数枚の固定板５３とを備えている。さらに、図示は省略してあるが、シャワーパイプ５１の一端に接続されている可撓性の液体供給用のチューブと、このチューブを介して液体をシャワーパイプに供給する液体供給源とを備えている。
【００２１】
詳細に説明すると、ドクターバック１３には、その上面１３ａ、すなわち第２のドクター装置２０のドクターブレード２１に対峙している側の面に、シャワーパイプ装着用の凹部５２が形成されている。この凹部５２の深さはシャワーパイプ５１の外径寸法とほぼ同一であり、その幅は凹部底から開口側に向けて広がった台形状断面となっており、凹部内にシャワーパイプ５１を装着すると、上面１３ａとシャワーパイプ５１の表面とがほぼ同一高さになる。
【００２２】
固定板５３は、シャワーパイプ５１の両端部分を固定するための端部固定板５３Ａと、これらの間において一定間隔でシャワーパイプ５１を固定するための中間固定板５３Ｂとを含んでいる。これらの固定板５３をドクターバック１３の上面１３ａにねじ止めすることにより、シャワーパイプ５１をドクターバック１３の凹部５２に固定できる。
【００２３】
次に、シャワーパイプ５１には、その長手方向に沿って、一定の間隔でシャワーノズル５４が取り付けられている。本例のシャワーノズル５４は、ドクターブレード１１の刃先１１ａ近傍のロール表面部分に向けて液体を吹き出すための第１のシャワーノズル５４Ａと、ドクターブレード２１の刃先部分に向けて液体を吹き出すための第２のシャワーノズル５４Ｂとを含み、これらのシャワーノズルが交互に取り付けられている。シャワーノズル５４Ａはその側面にノズル孔が開口しており、シャワーノズル５４Ｂはその先端面にノズル孔が開口している。
【００２４】
このように構成した本例の多段式ドクター装置１においては、図１に示すようなドクターリング動作中において、液体吹き付け機構によって供給される水あるいは薬液が、シャワーパイプ５１のノズル５４Ａ、５４Ｂからドクターブレード１１の刃先近傍のロール表面部分およびドクターブレード２１の刃先部分に吹き付けられる。これにより、掻き落とされた異物がドクターブレードの表面から洗い流される。
【００２５】
本例の液体吹き付け機構のシャワーパイプ５１は、第１のドクター装置１０のドクターバック１３に形成した凹部５２に着脱可能に装着されている。従って、ドクターバック１３の設置スペース内にシャワーパイプ５１を設置できるので、設置スペースの増加を招くことなくシャワーパイプを設置できる。また、シャワーパイプ５１は固定板５４によって着脱可能な状態でドクターバック１３に固定されている。従って、メンテナンス時や交換時の作業を簡単に行うことができる。さらに、シャワーパイプ５１に異なる方向に液体を吹き出すシャワーノズル５４を取り付けてあるので、１本のシャワーパイプを用いて２台のドクター装置のドクターブレードから異物を洗い流すことができるので、液体吹き付け機構をコンパクトに構成できる。
【００２６】
（その他の実施の形態）
上記の例は本発明を多段式ドクター装置に適用したものであるが、本発明は単一のドクター装置に対しても同様に適用できる。
【００２７】
また、上記の例は液体吹き付け機構を備えたものであるが、空気などの気体を吹き付ける吹き付け機構を備えている場合にも同様に構成できる。
【００２８】
さらに、ドクター装置としては、ドクターブレードの刃先を回転するロール表面に押し当てながらドクターリングを行う形式のものであれば、公知の各種のドクター装置を用いることができる。
【００２９】
【発明の効果】
以上説明したように、本発明のドクター装置においては、そのドクターバックに流体をドクターブレードの刃先部分あるいはその近傍に吹き付けるための吹き付け機構の構成要素の一つであるシャワーパイプを装着するための凹部を形成し、ここにシャワーパイプを着脱可能な状態で固定している。
【００３０】
従って、本発明によれば、吹き付け機構のシャワーパイプをドクターバックの設置スペース内に配置することができるので、設置場所に制約がある場合などに極めて有効である。また、シャワーパイプは着脱可能であるので、そのメンテナンス作業や交換作業を簡単に行うことができる。
【００３１】
さらに、シャワーパイプには異なる方向に流体を吹き出すシャワーノズルが取り付けられているので、異なる場所に対する流体の吹き付け機構を単一のシャワーパイプを用いて実現できるので、かかる機構を小型でコンパクトに構成できる。
【図面の簡単な説明】
【図１】  本発明を適用した多段式ドクター装置を示す側面構成図である。
【図２】  図１の多段式ドクター装置の各段のドクター装置のドクターブレードの配列例を示す説明図である。
【図３】  図１の多段式ドクター装置の第１のドクター装置を取り出して示す側面構成図である。
【図４】  （ａ）は図３の第１のドクター装置のドクターバックの上面を示す説明図であり、（ｂ）および（ｃ）は、それぞれ、シャワーパイプを固定するための固定板を示す平面図である。
【符号の説明】
１  多段式ドクター装置
２  ロール
２ａ  ロール表面
１０  第１のドクター装置
２０  第２のドクター装置
３０  第３のドクター装置
１１、２１、３１  ドクターブレード
１１ａ、１２ａ、１３ａ  刃先
１２、２２、３２  ブレードホルダ
１３、２３、３３  ドクターバック
５０  液体吹き付け機構
５１  シャワーパイプ
５２  凹部
５３、５３Ａ、５３Ｂ  固定板
５４、５４Ａ、５４Ｂ  シャワーノズル
【図１】
0004159786.tif 000002
【図２】
0004159786.tif 000003
【図３】
0004159786.tif 000004
【図４】
0004159786.tif 000005